(57)【要約】【課題】大きさ、形状などを異にする形態の植木鉢やプランターなどへの敷設が簡易、自在で、鉢底石の交換が簡単にできる鉢底石用ネット及び鉢底石用ネットホルダの提供を目的とする。【解決手段】鉢底石用ネットは、合成繊維フィラメント糸で開口部付きのネット袋状に編成、又は、織成されて袋内に鉢底石を収容する袋本体と、前記袋本体の開口部近傍に編み込むか、又は、織り込まれて前記開口部を開閉する絞り紐とからなる構成にしてある。また、鉢底石用ネットホルダは、上面開口を有する竪型筒状に形成された筒状本体から主としてなり、該筒状本体は当該筒内に請求項１記載の鉢底石用ネットの袋本体を収容するとともに、前記筒状本体の上面開口縁で前記袋本体の開口部を外向きに折り返して保持するように構成されているものである。【選択図】図２
0003117463.tif 000002
【実用新案登録請求の範囲】
【請求項１】
合成繊維フィラメント糸で開口部付きのネット袋状に編成又は織成されて袋内に鉢底石を収容する袋本体と、前記袋本体の開口部近傍に編み込まれて前記開口部を開閉する絞り紐とからなる鉢底石用ネット。
【請求項２】
上面開口を有する竪型筒状に形成された筒状本体から主としてなり、該筒状本体は当該筒内に請求項１記載の鉢底石用ネットの袋本体を収容するとともに、前記筒状本体の上面開口縁で前記袋本体の開口部を外向きに折り返して保持するように構成されている鉢底石用ネットホルダ。
【請求項３】
筒状本体の外周面に、外向きに折り返された袋本体の開口部を係止する係止部が設けられている請求項２に記載の鉢底石用ネットホルダ。
【考案の詳細な説明】
【技術分野】
【０００１】
本考案は、鉢底石を収容し、植木鉢等の底部に敷設される鉢底石用ネット及び鉢底石を鉢底石用ネットに収容する際に使用する鉢底石用ネットホルダに関するものである。
【背景技術】
【０００２】
植木鉢やプランター等の底部には、通気性、透水性等を良好にして根腐れを防止するため、鉢底石が敷設されている。この鉢底石は鉢底石の上に被せられた園芸用の土が徐々に付着して、鉢底石自体の保有する通気性、透水性等といった機能が低減してしまうため、植え替えの際、前記付着土を水で洗い流すことにより鉢底石の上記各機能を回復した上で再度利用するということがなされている。このような、鉢底石の敷設、洗浄等の作業は煩雑で手間がかかるという不具合がある。そこで、合成樹脂をネット状に成形した袋内に複数の鉢底石を収容し、植木鉢の底に敷設するという技術が開示されている。（下記特許文献１参照）
【０００３】
【特許文献１】登録実用新案第３０７６９５９号公報
【考案の開示】
【考案が解決しようとする課題】
【０００４】
しかしながら、合成樹脂製のネット状袋はネットを構成する一本毎の樹脂が太く剛性が高いため、容易に変形しない。よって、袋内に鉢底石を収容した鉢底石用ネットを植木鉢の底部に敷設する際に、植木鉢の底部形状に合わないという事態が生じ、かかる状態では、植木鉢の底部に貫通形成されている通気排水孔と鉢底石用ネットの間に隙間が生じ、前記通気排水孔から上層の園芸用の土が零れ落ちる可能性もある。また、ネット状袋の目開きが大きすぎるため、園芸用の土がネット状袋の開目を通り、ネット状袋内の鉢底石の間に達し、ひいては底部の通気排水孔から園芸用の土が外部へ零れ落ちるといったおそれがある。更に、ネット状袋は開閉自在に構成されておらず、開口部がないので、鉢底石の機能が低下した場合に鉢底石の交換ができず、ネット状袋をも廃棄せざるを得なかった
【０００５】
本考案は、上記した従来の問題点に鑑みてなされたものであって、大きさ、形状などを異にする形態の植木鉢やプランターなどへの敷設が簡易、自在で、鉢底石の交換が簡単にできる鉢底石用ネット及び鉢底石用ネットホルダの提供を目的とする。
【課題を解決するための手段】
【０００６】
上記目的を達成するために、本考案に係る鉢底石用ネットは、合成繊維フィラメント糸で開口部付きのネット袋状に編成、又は、織成されて袋内に鉢底石を収容する袋本体と、前記袋本体の開口部近傍に編み込むか、又は、織り込まれて前記開口部を開閉する絞り紐とからなる構成にしてある。
【０００７】
また、本考案にかかる鉢底石用ネットホルダは、上面開口を有する竪型筒状に形成された筒状本体から主としてなり、該筒状本体は当該筒内に請求項１記載の鉢底石用ネットの袋本体を収容するとともに、前記筒状本体の上面開口縁で前記袋本体の開口部を外向きに折り返して保持するように構成されているものである。
【０００８】
そして、本考案にかかる鉢底石用ネットホルダは、前記した構成において筒状本体の外周面に、外向きに折り返された袋本体の開口部を係止する係止部が設けられているものである。
【考案の効果】
【０００９】
本考案に係る鉢底石用ネットによれば、袋本体が合成繊維フィラメント糸でネット状に編成又は織成されているので、通気性及び透水性が高いことは言うまでもなくまたやわらかい。これにより、袋内に鉢底石を収容した鉢底石用ネットを植木鉢の底部に置くだけで、底部形状に応じて鉢底石が移動しそれに伴って鉢底石用ネットが容易に変形して底部に密着する。したがって、鉢底石の敷設作業を容易に行うことができる。また、植え替えの際には、鉢底石用ネットごと鉢底石を取り出して、鉢底石とその上に被せた園芸用の土とを容易に分離することが可能であり、植え替え作業を迅速に行うことができる。
【００１０】
また、本考案に係る鉢底石用ネットホルダによれば、上面開口を有する竪型筒状に形成された筒状本体から主として構成されているので、鉢底石用ネットを上面開口から筒状本体内に装入し、袋本体の開口端部を外向きに折り返して筒状本体の上面開口縁に保持させるだけで、鉢底石用ネットの袋本体の開口部を大きく開いた状態に維持できる。従って、鉢底石を鉢底石用ネットに収容する作業を容易にすることができる。また、この鉢底石用ネットホルダは本体が竪型筒状の非常に簡素な構造であるので安価に製造できる。
【００１１】
そして、筒状本体の外周面に係止部が設けられている場合は、係止部に袋本体の開口部が係止されるので、鉢底石用ネットホルダから鉢底石用ネットが外れることを防止できる。これにより、鉢底石の袋詰め作業を確実に行うことができる。
【考案を実施するための最良の形態】
【００１２】
本考案の最良の実施形態を図面に基づいて説明する。尚、以下に述べる実施形態は本考案を具体化した一例に過ぎず、本考案の技術的範囲を限定するものでない。ここに、図１は本考案の一実施形態に係る鉢底石用ネット１の袋本体３の側面図、図２は、前記鉢底石用ネット１に鉢底石２，２，２，・・・を収容した状態の正面図である。
この実施形態に係る鉢底石用ネット１は、鉢底石２を収容する袋本体３と、袋本体３の開口部１２を開閉する絞り紐５とから構成されている。
【００１３】
袋本体３は１０デニール以上４０デニール以下、好ましくは１５デニール以上２５デニール以下のポリエステルフィラメント糸（合成繊維フィラメント糸）でメリアス編によりネット袋状に編成されている。ポリエステルフィラメント糸の太さが１０デニールを下回ると繊維強度が低くなりすぎて袋本体３が破れやすくなり、４０デニールを上回ると袋本体３の撓み性が小さくなって自在な変形が困難になる。袋本体３は、平面視略円形の開口部１２と、開口部１２と同じ平面形状の底部１３とを有する。袋本体３は通気性、透水性を有し、且つ、鉢底石２，２，２，・・・が袋本体３から飛び出さないようにするために編目の大きさが０．１ｍｍ以上５ｍｍ以下、好ましくは０．２ｍｍ以上３ｍｍ以下にされている。編目の大きさが０．１ｍｍを下回ると目詰まりを生じやすくなって袋本体３の通気性や透水性を損なうこととなり、５ｍｍを上回ると園芸用の土１６が袋本体３内に入ってしまい鉢底石２，２，２，・・・間を満たてしまい、その後の鉢底石２，２，２，２・・・と園芸用の土１６との分離作業を困難にする。袋本体３の開口端部９にはポリウレタン製の弾性糸１７が編み込まれている。また、袋本体３の開口端部９近傍にナイロン製の絞り紐５が周方向に沿って複数本編み込まれている。かかる絞り紐５を絞ることによって、袋本体３の開口部１２が閉じるようになっている。
【００１４】
図３は、鉢底石用ネットホルダ４の斜視図を示す。鉢底石用ネットホルダ４は厚さ０．１ｍｍ以上２ｍｍ以下の紙製で、上面開口を有する竪型筒状に形成された筒状本体６から主としてなり、上面開口部分の形状は略正十二角形である。
【００１５】
筒状本体６の外周面に、外向きに折り返された鉢底石用ネット１の袋本体３の開口端部９を係止する係止部１０が４箇所設けられている。各係止部１０は筒状本体６の上面から全高さの６分の１の同じ高さ位置で略Ｕの字状に切欠いて舌片部を形成し、かかる舌片部を外向きに起して、垂直面から鋭角に突出させたものである。図４に示すように、鉢底石用ネットホルダ４は折り畳むことができる。
【００１６】
引続き、鉢底石用ネット１及び鉢底石用ネットホルダ４の動作につき、以下に説明する。鉢底石用ネットホルダ４の筒状本体６の上面開口から鉢底石用ネット１の袋本体３を開口部１２を上にして筒状本体６内に装入して収容する。筒状本体６の上面開口縁８で袋本体３の開口端部９を外向きに折り返すことで、袋本体３の開口端部９に編み込まれたポリウレタン製の弾性糸１７により袋本体３が鉢底石用ネットホルダ４の上面開口縁８に固定されて保持される。更に、筒状本体６の外周面１１に設けられた係止部１０が外向きに折り返された袋本体３の開口端部９を確実に係止している。
【００１７】
図５に示すように、鉢底石用ネットホルダ４の筒内に開口部１２を開口して設置された袋本体３内に、パーライト、軽石、砕石火成岩や小石等、又はこれらの混合物よりなる鉢底石２，２，２，・・・を投入、収容する。図６は、筒状本体６内に設置された鉢底石用ネット１の中に上記鉢底石２，２，２，・・・を収容した状態の断面図である。
【００１８】
その後、鉢底石用ネット１を鉢底石用ネットホルダ４から外して絞り紐５を引き縮めることで開口部１２を閉じる。そして、図７に示すように、鉢底石２，２，２，・・・の収容された鉢底石用ネット１を植木鉢１５の底部に敷設し鉢底石用ネット１の上に園芸用の土１６を被せる。
【００１９】
以上より、鉢底石用ネット１によれば、袋本体３がポリエステルフィラメント糸でネット状に編成されているので、通気性及び透水性が高いことは言うまでもなくまた柔らかく、軽量で、しかも丈夫である。よって、袋内に鉢底石２，２，２，・・・を収容した鉢底石用ネット１を植木鉢１５の底部に置くだけで、植木鉢１５の底部形状に応じて鉢底石２，２，２，・・・が移動しそれに伴って鉢底石用ネット１が容易に変形して底部に密着する。従って、植木鉢１５の底部に貫通形成されている通気排水孔から上層の園芸用の土１６が零れ落ちるといったことが生じにくく、鉢底石２，２，２，・・・の敷設作業を容易に行うことができる。また、様々な大きさ、形状の植木鉢１５に敷設することができる。
【００２０】
更に、従来の合成樹脂製のネット状袋に比較して袋本体３を構成する糸の太さが細く、また、編目の目開きが小さいため、園芸用の土１６がネット状袋の開目を通りにくく、園芸用の土１６が鉢底石用ネット1の開き目を通って鉢底石２，２，２，・・・間の隙間から底部の通気排水孔へと移動して外部へ零れ落ちるといったこともほとんどない。また、植え替えの際には、鉢底石用ネット１ごと鉢底石２，２，２，・・・を取り出して、鉢底石２，２，２，・・・とその上に被せた園芸用の土１６とを容易に分離することが可能であり、鉢底石２，２，２，・・・の水洗等の際にも鉢底石用ネット１に入ったまま洗うことが可能で、手等をほとんど汚すことなく、植え替え作業が非常に容易となる。
【００２１】
更に、鉢底石用ネット１は開閉自在に構成されているので、開口部１２から通気性、透水性等の機能が低下した鉢底石２，２，２，・・を一部又は全部取り出して新しい鉢底石２，２，２，・・・と交換でき、鉢底石用ネット１を再度利用することができる。
【００２２】
また、鉢底石用ネットホルダ４によれば、鉢底石用ネット１を上面開口から筒状本体６内に装入し、袋本体３の開口端部９を外向きに折り返して上面開口縁８に保持させるだけで、鉢底石用ネット１の袋本体３の開口部１２を大きく開いた状態に維持できる。従って、鉢底石２，２，２，・・・を鉢底石用ネット１に収容する作業を容易にすることができる。また、この鉢底石用ネットホルダ４は本体が竪型筒状の非常に簡素な構造であるので安価に製造できる。
【００２３】
そして、筒状本体６の外周面１１に係止部１０が設けられているので、係止部１０に袋本体３の開口端部９が係止されるので、鉢底石用ネットホルダ４から鉢底石用ネット１が外れることを防止できる。これにより、鉢底石の袋詰め作業を確実に行うことができる。
【００２４】
尚、上記の実施形態では、鉢底石用ネット１の袋本体３は合成繊維フィラメント糸を編成したものを示したが、本考案の鉢底石用ネットの袋本体はそれに限定されるものでなく、例えば平織り、綾織などにより織成したものであってもよい。また、鉢底石用ネットホルダは紙製に限定されず、合成樹脂製、金属製などであってもよく、上面開口部分の形状は略正十二角形としたがこれに限定されず、円形、楕円形、他の多角形等であってもよい。また、各係止部１０は筒状本体６の上面から全高さの６分の１の同じ高さ位置で略Ｕの字状に切欠いて舌片部を形成し、かかる舌片部を外向きに起して、垂直面から鋭角に突出させたものに限定されず、筒状本体６の上面から全高さの２分の1の範囲にあればよく、４箇所に限定されず、１箇所であっても４箇所以外の複数箇所であってもよい。また、係止部１０は略Ｕの字状の切欠いて舌片部を形成し、かかる舌片部を外向きに起したものに限定されず、鉢底石用ネットホルダ４の外周面に設けた弱粘着性の接着剤層であってもよく、鉢底石用ネットホルダ４の外周面に付設された先端の鋭い突起物等であってもよい。
【図面の簡単な説明】
【００２５】
【図１】本考案の一実施形態に係る鉢底石用ネットの正面図である。
【図２】前記鉢底石用ネットに鉢底石を収容した状態の正面図である。
【図３】本考案の一実施形態に係る鉢底石用ネットホルダの斜視図である。
【図４】前記鉢底石用ネットホルダを平坦に折り畳んだ状態の斜視図である。
【図５】前記鉢底石用ネット及び鉢底石用ネットホルダの実施態様図である。
【図６】前記鉢底石用ネット及び鉢底石用ネットホルダの側断面図である。
【図７】前記鉢底石用ネットの他の実施態様図である。
【符号の説明】
【００２６】
１  鉢底石用ネット
２  鉢底石
３  袋本体
４  鉢底石用ネットホルダ
５  絞り紐
６  筒状本体
８  上面開口縁
９  開口端部
１０  係止部
１１  外周面
１２  開口部
【図１】
0003117463.tif 000003
【図２】
0003117463.tif 000004
【図３】
0003117463.tif 000005
【図４】
0003117463.tif 000006
【図５】
0003117463.tif 000007
【図６】
0003117463.tif 000008
【図７】
0003117463.tif 000009